(57)【要約】【課題】  ロゴ等を表示する装飾物の設計自由度を高めることが出来る弾球遊技機を提供する。【解決手段】  弾球遊技機の遊技盤４上の遊技領域Ｒ１は、その少なくとも一部に、裏面側が視認可能な透明領域ＲＴを含む。非遊技領域Ｒ２と、裏面側領域のうち少なくとも透明領域ＲＴを介して視認可能な裏面側視認領域とにまたがって、装飾物５１が配置される。【選択図】図２
2015029737.tif 000002
【特許請求の範囲】
【請求項１】
遊技球が打ちこまれる遊技領域と、
前記遊技領域の中央に位置する非遊技領域と、
前記遊技領域の裏面側に位置する裏面側領域と、
前記非遊技領域への遊技球の進入を阻止するために前記遊技領域と前記非遊技領域とを区画する区画部材とを備えた弾球遊技機であって、
前記遊技領域は、その少なくとも一部に、裏面側が視認可能な透明領域を含み、
前記非遊技領域と、前記裏面側領域のうち少なくとも前記透明領域を介して視認可能な裏面側視認領域とにまたがって装飾物が配置されることを特徴とする弾球遊技機。
【請求項２】
請求項１記載の弾球遊技機において、
前記装飾物は前記裏面側視認領域と前記非遊技領域とにまたがる移動範囲で移動可能に構成された第１の可動役物であることを特徴とする弾球遊技機。
【請求項３】
請求項２記載の弾球遊技機において、
前記透明領域に遊技球検出手段が設けられていることを特徴とする弾球遊技機。
【請求項４】
請求項１〜３いずれか１項記載の弾球遊技機において、
前記装飾物の前記非遊技領域に存在する第１部分は、前記装飾物の前記裏面側視認領域に存在する第２部分よりも前方に位置していることを特徴とする弾球遊技機。
【請求項５】
請求項４記載の弾球遊技機において、前記第１部分の裏面側に第２の可動役物が配置されていることを特徴とする弾球遊技機。
【請求項６】
請求項５記載の弾球遊技機において、
前記第２部分の裏面側に第３の可動役物が配置され、前記第２の可動役物は、前記第３の可動役物と連動するように構成されていることを特徴とする弾球遊技機。
【請求項７】
請求項１〜６いずれか１項記載の弾球遊技機において、
前記区画部材は、少なくとも前記装飾物をまたぐ部分が透明性を有する部材で構成されていることを特徴とする弾球遊技機。
【請求項８】
請求項１〜７いずれか１項記載の弾球遊技機において、
前記装飾物は、前記弾球遊技機を識別するためのロゴを表示する部材で構成されることを特徴とする弾球遊技機。
【発明の詳細な説明】
【技術分野】
【０００１】
本発明は、弾球遊技機に関する。
【背景技術】
【０００２】
パチンコ遊技機などに代表される弾球遊技機では、遊技者の注意を引くため、文字又は数字等のロゴタイプ（以下、「ロゴ」という。）等を表示する装飾物の配置に工夫がなされてきた。例えば、特許文献１に記載の弾球遊技機の遊技盤においては、２つの開閉部材で構成される「水戸黄門」というロゴを表示する可動役物が、遊技球が到達しない非遊技領域に設けられている。該２つの開閉部材は、それぞれ遊技盤の正面から見て左右方向に往復移動可能に構成され、互いに離間、接近を繰り返すように構成されている。
【先行技術文献】
【特許文献】
【０００３】
【特許文献１】特開２００７−２９２５５号公報
【発明の概要】
【発明が解決しようとする課題】
【０００４】
しかしながら、特許文献１の技術では、遊技球が通過する遊技領域の広さとの兼ね合いで、非遊技領域に設けられたロゴ等を表示する装飾物の大きさ、配置箇所、および可動領域等の設計自由度が制限されていた。
【０００５】
本発明は、このような課題に鑑み、ロゴ等を表示する装飾物の設計自由度を高めることが出来る遊技機を提供することを目的とする。
【課題を解決するための手段】
【０００６】
本発明の弾球遊技機は、遊技球が打ちこまれる遊技領域と、前記遊技領域の中央に位置する非遊技領域と、前記遊技領域の裏面側に位置する裏面側領域と、前記非遊技領域への遊技球の進入を阻止するために前記遊技領域と前記非遊技領域とを区画する区画部材とを備えた弾球遊技機であって、前記遊技領域は、その少なくとも一部に、裏面側が視認可能な透明領域を含み、前記非遊技領域と、前記裏面側領域のうち少なくとも前記透明領域を介して視認可能な裏面側視認領域とにまたがって装飾物が配置されることを特徴とする。
【０００７】
本発明の弾球遊技機において、前記装飾物は前記裏面側視認領域と前記非遊技領域とにまたがる移動範囲で移動可能に構成された第１の可動役物であることが好ましい。
【０００８】
該構成の弾球遊技機において、前記透明領域に遊技球検出手段が設けられていることが好ましい。
【０００９】
本発明の弾球遊技機において、前記装飾物の前記非遊技領域に存在する第１部分は、前記装飾物の前記裏面側視認領域に存在する第２部分よりも前方に位置していることが好ましい。
【００１０】
該構成の弾球遊技機において、前記第１部分の裏面側に第２の可動役物が配置されていることが好ましい。
【００１１】
該構成の弾球遊技機において、前記第２部分の裏面側に第３の可動役物が配置され、前記第２の可動役物は、前記第３の可動役物と連動するように構成されていることが好ましい。
【００１２】
本発明の弾球遊技機において、前記区画部材は、少なくとも前記装飾物をまたぐ部分が透明性を有する部材で構成されていることが好ましい。
【００１３】
本発明の弾球遊技機において、前記装飾物は、前記弾球遊技機を識別するためのロゴを表示する部材で構成されることが好ましい。
【図面の簡単な説明】
【００１４】
【図１】弾球遊技機の全体斜視図。
【図２】遊技盤の構成を示す図で（ａ）は可動装飾物が第１位置に位置した場合を示し、（ｂ）は可動装飾物が第２位置に位置した場合を示す。
【図３】化粧板の構成を示す図。
【図４】内側パネルの構成を示す図。
【図５】装飾部材の構成を示す図。
【図６】可動装飾物支持機構の構成を示す図で、（ａ）は可動装飾物が第１位置にある場合の正面図、（ｂ）は可動装飾物が第１位置にある場合の斜視図、（ｃ）は可動装飾物が第２位置にある場合の正面図。
【図７】装飾物の配置構成の一例を示す図で、（ａ）は遊技盤の前方上部を示し、（ｂ）は、（ａ）のＢ−Ｂにおける断面を示し、（ｃ）は下側可動物が動いた場合の遊技盤を示す。
【発明を実施するための形態】
【００１５】
まず、本発明の弾球遊技機の実施形態について説明する。
【００１６】
本実施形態の弾球遊技機は、遊技球が打ちこまれる遊技領域と、前記遊技領域の中央に位置する非遊技領域と、前記遊技領域の裏面側に位置する裏面側領域と、前記非遊技領域への遊技球の進入を阻止するために前記遊技領域と前記非遊技領域とを区画する区画部材とを備えた弾球遊技機であって、前記遊技領域は、その少なくとも一部に、裏面側が視認可能な透明領域を含み、前記非遊技領域と、前記裏面側領域のうち少なくとも前記透明領域を介して視認可能な裏面側視認領域とにまたがって装飾物が配置されることを特徴とする。
【００１７】
上記構成の弾球遊技機によれば、装飾物が遊技領域内の裏面側視認領域と非遊技領域とにまたがって配置されていても、遊技者に透明領域及び非遊技領域を介して該装飾物のほぼ全体を視認させることができる。このため、装飾物が非遊技領域にのみ配置されている場合に比べ、装飾物の大きさ、配置場所についての設計自由度が高められる。
【００１８】
本実施形態の弾球遊技機において、前記装飾物は前記裏面側視認領域と前記非遊技領域とにまたがる移動範囲で移動可能に構成された第１の可動役物であることが好ましい。
【００１９】
該構成の弾球遊技機によれば、装飾物が前記裏面側視認領域及び前記非遊技領域にまたがる移動範囲で移動可能であるので、非遊技領域のみを移動範囲とする場合に比べ、装飾物の移動範囲が広がるため、装飾物の移動範囲についての設計自由度が高められる。
【００２０】
該構成の弾球遊技機において、前記透明領域に遊技球検出手段が設けられていることが好ましい。
【００２１】
該構成の弾球遊技機によれば、例えば、装飾物の位置、姿勢が変化した場合（透明領域の装飾物の見え方が変化した場合）に、遊技者が透明領域に対して遊技球を打ち出すような遊技をしていることを、透明領域に設けられた遊技球検出手段により検出することが出来る。遊技球検出手段における遊技球の検出状況と装飾物の位置等に基づき、例えば演出を変化させることにより、遊技者は、自己の遊技内容により演出が変化すると認識する。この結果、装飾物の変化に応じた演出等と遊技者の遊技内容を紐付けることが出来るので、遊技者に興趣を与えることが出来る。
【００２２】
本実施形態の弾球遊技機において、前記装飾物の前記非遊技領域に存在する第１部分は、前記装飾物の前記裏面側視認領域に存在する第２部分よりも前方に位置していることが好ましい。
【００２３】
該構成の弾球遊技機によれば、前記第１部分が前方に位置しているので、当該第１部分の裏面側にさらに他の装飾物を配置するなど、装飾物等の配置に関する設計自由度が高められる。
【００２４】
該構成の弾球遊技機において、前記第１部分の裏面側に第２の可動役物が配置されていることが好ましい。
【００２５】
該構成の弾球遊技機によれば、第１部分の裏面側に第２の可動役物が配置されることで、装飾物の裏面側の空間が有効活用される。
【００２６】
該構成の弾球遊技機において、前記第２部分の裏面側に第３の可動役物が配置され、前記第２の可動役物は、前記第３の可動役物と連動するように構成されていることが好ましい。
【００２７】
該構成の弾球遊技機によれば、第３の可動役物を第２部分の裏面側に配置することにより、遊技者から第３の可動役物が見えなくなる又は見えにくくなるため、遊技者が第３の可動役物と連動する第２の可動役物の動きを予測できなくなる。このため、第２の可動役物が動いた際に、遊技者に対し興趣を与えることが出来る。
【００２８】
本実施形態の弾球遊技機において、前記区画部材は、少なくとも前記装飾物をまたぐ部分が透明性を有する部材で構成されていることが好ましい。
【００２９】
該構成の弾球遊技機によれば、装飾物の区画部材の裏面側にある部分も視認可能になるので、装飾物の全体像を遊技者が視認できるようになる。
【００３０】
本実施形態の弾球遊技機において、前記装飾物は、前記弾球遊技機を識別するためのロゴを表示する部材で構成されることが好ましい。
【００３１】
ロゴを表示する装飾物は遊技者の目を引く部分であることから、出来るだけ大きくしたいという開発側の要求がある。該構成の弾球遊技機によれば、ロゴを表示する装飾物の設計自由度が高められるから、例えば、ロゴを表示する装飾物を大きくするなど、ロゴを表示する装飾物を目立つように配置することができる。
【００３２】
（第１実施形態）
次に、図１を参照して、第１実施形態のパチンコ遊技機１を構成する部分について説明する。図１に示すパチンコ遊技機１は、矩形状の外枠２と、この外枠２に開閉可能に枢着された前面枠３及び前扉５を備えている。
【００３３】
前面枠３は、額縁状であり開口部に遊技盤４（図２参照）が取付け可能となっている。また、前扉５の中央部にはガラス板６が嵌め込まれており、外部より遊技盤４が視認可能に構成されている。
【００３４】
前扉５の上部左右両側にはスピーカ７が設けられている。スピーカ７は、遊技に伴う演出効果音を外部に出力する音響出力部である。また、前扉５の左右両側及び上部には枠装飾ＬＥＤ８が設けられている。枠装飾ＬＥＤ８は、遊技の演出に連動してＬＥＤが発光、点滅する発光装飾部である。
【００３５】
前扉５の下側には前面板９が配置され、その左端部は前面枠３に開放可能に枢着されている。前面板９には、発射機構を作動させるための発射ハンドル１０、遊技球を貯留する上貯留皿１１、下貯留皿１２等が設けられている。
【００３６】
また、上貯留皿１１の表面部分には、内蔵ランプが点灯したとき操作可能となる左演出ボタン１３と、中央演出ボタン１４が設けられている。両演出ボタン１３、１４は、遊技中に操作の機会が与えられ、ボタンを押下することにより演出を変化させることができる。
【００３７】
次に、図２〜図６を参照して、パチンコ遊技機１の遊技盤４について説明する。遊技盤４は、化粧板２０と、内側パネル３０と、装飾部材４０（図５参照）と、可動装飾物支持機構５０（図６参照）とを備える。
【００３８】
また、遊技盤４は、遊技に使用される又は遊技の演出効果を高めるための領域として、遊技球が打ち出される第１領域Ｒ１と、第１領域Ｒ１の中央に位置し、遊技に伴う演出効果を高めるための装飾部材等を配置する第２領域Ｒ２と、遊技球を第１領域Ｒ１に誘導する第３領域Ｒ３（発射球通路２１）と、第２領域Ｒ２以外の装飾部材等を配置する第４領域Ｒ４と、第１領域Ｒ１の裏面側の裏面側領域（不図示）とを備える。なお、第１領域Ｒ１及び第３領域Ｒ３が本発明の「遊技領域」に、第２領域Ｒ２が本発明の「非遊技領域」に、それぞれ相当する。
【００３９】
また、第１領域Ｒ１は、一部に、裏面側領域が視認可能な透明領域ＲＴを含む。
【００４０】
化粧板２０は、図３に示されるように、例えば不透明のベニヤ板に、遊技に使用される各種部材及び遊技の演出効果を高めるための装飾部材を取り付けて構成される。
【００４１】
化粧板２０のうち、第１領域Ｒ１を区画する部分には、随所に遊技球を誘導するための釘（不図示）が設けられ、かつ当該部分の下方には、始動入賞装置２２、大入賞口２３及び遊技球を回収するためのアウト球回収口２４ａ等が設けられている。化粧板２０の中央には、開口部２５が形成されており、この開口部２５の内側に装飾物又は画像表示装置等を配置するための第２領域Ｒ２が形成される。
【００４２】
また、化粧板２０には、遊技に使用される領域の外側へ遊技球が排出することを防止するための外側区画部材２６と、遊技球を発射球通路２１（第３領域Ｒ３）を介して遊技領域へ案内するための案内体２７とが取り付けられている。化粧板２０の右下（第４領域Ｒ４）には、遊技の演出効果を高めるための装飾部材が配置される。
【００４３】
始動入賞装置２２は、第１特別図柄始動口２２ａ及び第２特別図柄始動口２２ｂから構成される。遊技領域を流下する遊技球が第１特別図柄始動口２２ａ、または第２特別図柄始動口２２ｂに入賞することにより抽選が行われる。この抽選に対応して、後述する特別図柄表示装置２８ａにて特別図柄の変動表示が行われる。また、液晶表示装置１５においても、特別図柄の抽選に対応した変動表示が行われる。
【００４４】
第２特別図柄始動口２２ｂは、一対の開閉部材を備えている。当該開閉部材が開状態の場合、遊技球が第２特別図柄始動口２２ｂに入賞し易くなる一方、当該開閉部材が閉状態の場合、当該開閉部材によって遊技球の第２特別図柄始動口２２ｂへの入賞が阻止される。当該開閉部材は、通常は閉状態に制御されているが、普通図柄の抽選に当選した場合には、所定回数、又は所定時間開状態となるように、制御される。
【００４５】
始動入賞装置２２の下方には、大入賞口２３が配置されている。大入賞口２３は、特別図柄の抽選に当選した場合、すなわち、大当りとなった場合に所定時間開放される入賞装置である。遊技球が大入賞口２３の内部に設けられた検出スイッチ（図示省略）を通過すると入賞が検知され、遊技者に対し多くの賞球が払いだされる。
【００４６】
遊技領域の最も左側には、発射ハンドル１０により発射された遊技球を遊技領域に案内するため略上下方向に円弧状に延びた案内体２７、が配置されている。案内体２７は、金属製の帯状の外内２本のガイドレール２７ａ、２７ｂで構成されている。
【００４７】
これら外内２本のガイドレール２７ａ及び２７ｂの間で上下方向に延びた空間が、前記発射機構から発射された遊技球が通過する発射球通路２１（第３領域Ｒ３）を形成している。
【００４８】
内側ガイドレール２７ｂの上端には、発射球の発射方向への通過を許可すると共に戻り方向（発射球通路２１側）への通過を阻止する戻り球防止片２７ｃが配設されている。また、内側ガイドレール２７ｂの最下部にはアウト球回収口２４ａと、アウト球回収口２４ａにアウト球を導入する球寄せ部２４ｂが形成されている。
【００４９】
化粧板２０の右側下方には、特別図柄表示装置２８ａ及び普通図柄表示装置２８ｂが配置されている。特別図柄表示装置２８ａは、３個の７セグメントＬＥＤから構成される表示器であり、特別図柄始動口２２ａ、２２ｂへの入賞を契機として特別図柄を変動させ、抽選結果を表示する。普通図柄表示装置２８ｂは、複数のＬＥＤで構成される表示器であり、普通図柄用始動ゲート３４への入賞を契機として普通図柄を始動させ、ＬＥＤの点灯により抽選結果を表示する。
【００５０】
化粧板２０左側には、遊技球の流下方向を変化させる風車、多数の遊技釘（図示省略）が配置されている。また、風車の下方には、複数の一般入賞口２９ａ、２９ｂ、２９ｃが配置されている。遊技球が一般入賞口２９ａ、２９ｂ、２９ｃに入賞する（一般入賞口２９ａ、２９ｂ、２９ｃに設けられた検出センサにより遊技球が検知される）と所定数の賞球の払出しが行われる。
【００５１】
化粧板２０の表面（第１領域Ｒ１及び第３領域Ｒ３を形成する表面）には、化粧シート（図示省略）が貼り付けられている。この化粧シートにより、遊技盤４の一部の装飾が構成される。化粧シートの表面には、後述する区画部材３１、可動装飾物５１等と統一感のある装飾が施されていることが好ましい。
【００５２】
図２に戻ると、図２（ａ）に示されるように、化粧板２０の開口部２５の内側に沿って、内側パネル３０が表側からビス等により取り付けられている。
【００５３】
次に、内側パネル３０は、図４に示されるように、化粧板２０の開口部２５に沿って取り付けられる区画部材３１と、内側パネル３０の中央下方に配置されたステージ部材３２と、当該区画部材３１の左上に設けられた振分部３３と、内側パネル３０の右上部分に形成された普通図柄用始動ゲート３４とを備える。内側パネル３０は、アクリル樹脂等の透明な材料で形成されているが、適宜塗色等により、一部を除いて不透明に構成されている。
【００５４】
区画部材３１は、その左側が球ワープ通路３５で構成されている。球ワープ通路３５の上方に設けられた入球口から入球した遊技球は、球ワープ通路３５を流下し、その下方に設けられた球出口から排出され、ステージ部材３２上に誘導される。
【００５５】
ステージ部材３２は、やや前後に延びた板状部材で構成され、その中央に、遊技球をその前方下方に位置する始動入賞装置２２へ誘導するための溝状の誘導経路３２ａを備えている。ステージ部材３２に誘導された遊技球は、誘導経路３２ａの付近を前後左右に転動したのちに落下する。
【００５６】
図２（ａ）に示されるように、内側パネル３０が化粧板２０に取り付けられた状態では、誘導経路３２ａの下方には、第１特別図柄始動口２２ａが位置することとなる。このため、遊技球が誘導経路３２ａを通過する場合は第１特別図柄始動口２２ａに入賞しやすい一方、遊技球が誘導経路３２ａを通過しない場合は第１特別図柄始動口２２ａに入賞しずらくなっている。
【００５７】
また、区画部材３１の右側下方に形成された通路３６は、前記第１領域Ｒ１の一部を構成する。
【００５８】
振分部３３は、化粧板２０の発射球通路２１の出口付近の位置に取り付けられる。図４に示されるように、振分部３３は、その表面に振分部材３３ａ、３３ｂ、３３ｃを備える。発射装置１０により発射された遊技球は、振分部材３３ａ、３３ｂ、３３ｃにより、遊技盤４の左側下方の通路又は右側通路に振り分けられる。
【００５９】
また、振分部３３は、透明な部材で構成されているが、透明部分３３ｄを除いた部分は塗色されているため、振分部３３の表面は透明部分３３ｄを除き不透明になっている。透明領域ＲＴは、透明部分３３ｄにより形成される（図２（ａ）参照）。
【００６０】
普通図柄用始動ゲート３４は、普通図柄の始動契機となる入賞装置である。遊技球が普通図柄用始動ゲート３４を通過する（実際には、普通図柄用始動ゲート３４に設けられた検出センサにおいて遊技球を検知する）ことを契機として抽選が行われ、普通図柄表示装置２８ｂにて、普通図柄の変動表示が行われる。
【００６１】
装飾部材４０は、図５に示されるように、装飾体４１及び取付部４２で構成されている。装飾部材４０は、化粧板２０の裏面側、かつ、可動装飾物支持機構５０の表面側に、図２（ａ）に示されるように、内側パネル３０の内側に装飾体４１が位置するように、ビス等により化粧板２０に固定されて取り付けられる。
【００６２】
装飾部材４０は、遊技盤４の装飾の一部を構成するとともに、可動装飾物支持機構５０の固定部材５３ｂ（図６参照）のように遊技者に視認させたくない部材を覆う役割を担っている。装飾体４１は、例えば、液晶表示装置１５に表示される予告、リーチ等の演出に連動して、その内部にあるＬＥＤが点灯又は点滅するように構成されている。
【００６３】
図６（ａ）に示されるように、可動装飾物支持機構５０は、可動物の一例としての可動装飾物５１と、可動装飾物５１の裏面側に配置された固定装飾物５２と、固定装飾物５２を左右から支持する固定部材５３ａ，５３ｂと、左側固定部材５３ａの上に取り付けられ、可動装飾物５１を移動させるための駆動機構５４とを備える。可動装飾物５１が本発明の「装飾物」及び「第１の可動役物」に相当する。
【００６４】
本実施形態においては、上記の装飾部材４０と固定装飾物５２とで意匠部が構成されている。これによれば、可動装飾物５１が第１位置にある場合には、図２（ａ）及び図５に示されるように、意匠部の一部（装飾部材４０）によって「乙丙」との文字を表す有意な第１の意匠が構成される。可動装飾物５１が第２の位置にある場合には、図２（ｂ）に示されるように、意匠部の全体（装飾部材４０及び固定装飾物５２）によって「丁乙丙」との文字を表す有意な第２の意匠が構成される。
【００６５】
なお、本実施形態では、第１の意匠は、図５に示されるように、「乙丙」全体ではなく、「乙」の文字の一部と「丙」の文字を表す意匠であるが、その意匠により「乙丙」という一つの有意なロゴを認識できるので、単独で有意な意匠である。
【００６６】
また、可動装飾物５１が第１位置にある場合には、図２（ａ）に示されるように、第１の意匠と可動装飾物５１により、「甲乙丙」との全体として統一のある第３の意匠が構成される。
【００６７】
可動装飾物５１は、互いに異なる位置である第１位置と第２位置との間を移動範囲として移動するように構成されている。可動装飾物５１は、第１位置にある場合（図２（ａ）及び図６（ａ）参照）、第２領域Ｒ２と、透明領域ＲＴを介して視認可能な裏面側視認領域（不図示）とにまたがっている。一方、可動装飾物５１は、第２位置にある場合（図２（ｂ）及び図６（ｃ）参照）、第２領域Ｒ２内に収まる。
【００６８】
駆動機構５４は、図６（ａ）（ｂ）に示されるように、２つのモータ５５ａ、５５ｂと、２つのギア（ピニオン）５６ａ、５６ｂと、移動部材（ラック）５７ａと、受止部５７ｂと、支持部材５８と、落下補助部材５９ａ，５９ｂとを備える。
【００６９】
各モータ５５ａ、５５ｂは、それぞれ正回転駆動、逆回転駆動をするように構成されている。
【００７０】
各ギア５６ａ、５６ｂは、それぞれモータ５５ａ、５５ｂの回転駆動により回転するように構成されている。
【００７１】
移動部材５７ａは、上下方向に形成された矩歯部を有し、これに各ギア５６ａ、ギア５６ｂがかみ合うように構成されている。移動部材５７ａは、ギア５６ａ又はギア５６ｂが正回転するとき、上方に移動し、かつ、ギア５６ａ又はギア５６ｂが逆回転するとき、下方に移動するように配置されている。
【００７２】
移動部材５７ａは、上部に存在するとき、上側のモータ５５ａ及びギア５６ａの回転により上下に移動し、下部に存在するとき、下側のモータ５５ｂ及びギア５６ｂの回転により上下に移動するように構成されている。
【００７３】
受止部５７ｂは、底面で移動部材５７ａと連結しており、移動部材５７ａと連動して上下に移動するように構成されている。また、受止部５７ｂは、その表面に落下してきた可動装飾物５１を受け止めるための突起部を有している。受止部５７ｂは、可動装飾物５１を受け止めた状態で、可動装飾物５１が第１位置に位置するまで上方に移動させることが出来る。
【００７４】
支持部材５８は、可動装飾物５１を支持しながら上下に移動できるように構成されている。支持部材５８は、移動部材５７ａと連動するストッパ（不図示）により、所定位置で係止されるように構成されている。ストッパは、移動部材５７ａが上方に移動する場合に、支持部材５８を所定位置で係止し、移動部材５７ａが下方に移動する場合に、支持部材５８の係止を解除するように構成されている。
【００７５】
落下補助部材５９ａ，５９ｂは、上下に延びた棒状の部材で構成される。支持部材５８が落下補助部材５９ａ，５９ｂに沿って移動することにより、可動装飾物５１の落下が安定する。
【００７６】
可動装飾物５１（支持部材５８）がストッパによって第１位置に係止されている場合、モータ５５ａ又は５５ｂの逆回転駆動によりギア５６ａ又はギア５６ｂが逆回転をすると、移動部材５７ａが下方に移動する。この移動部材５７ａの下方への移動に連動するストッパによって、支持部材５８の係止が解除される。
【００７７】
この結果、可動装飾物５１（及び支持部材５８）が、落下補助部材５９ａ，５９ｂに沿って落下する。可動装飾物５１の落下は、図６（ｃ）に示すように、当該可動装飾物５１を支持する支持部材５８の上端の一部を受止部５７ｂの突起部に受け止められることにより停止する。受止部５７ｂの突起部が落下した可動装飾物５１を受け止める位置が第２位置となる。
【００７８】
一方、可動装飾物５１が第２位置にある状態で、モータ５５ａ又は５５ｂの正回転駆動によりギア５６ａ又はギア５６ｂが正回転をすると、移動部材５７ａが上方に移動する。当該移動部材５７ａの移動に連動して受止部５７ｂが支持部材５８を下から支えながら上方へ持ち上げる。また、移動部材５７ａの上方への移動に伴って動くストッパにより、支持部材５８が第１位置に係止される。
【００７９】
可動装飾物支持機構５０が化粧板２０の裏面に取り付けられた状態では、左側固定部材５３ａ及び駆動機構５４の表面側には、内側パネル３０及び化粧板２０が取り付けられ、右側固定部材５３ｂの表面側には装飾部材４０が取り付けられている。このため、左側固定部材５３ａ、駆動機構５４、及び右側固定部材５３ｂは、前面からは視認されない。
【００８０】
また、固定装飾物５２は、図２（ａ）に示すように、初期状態（可動装飾物５１が第１位置にある場合）では前面から視認されないが、可動装飾物５１が下方に移動した場合（可動装飾物５１が第２位置にある場合）には、図２（ｂ）に示すように、前面から視認されるようになる。
【００８１】
また、初期状態では、化粧板２０の開口部２５を介して可動装飾物５１の第１部分５１ａが視認可能となっているとともに、内側パネル３０の透明部分３３ｄを介して可動装飾物５１の第２部分５１ｂが視認可能になっている。可動装飾物５１が下方に移動することにより、より広範囲にわたって可動装飾物５１が視認可能となる。
【００８２】
液晶表示装置１５は、遊技の進行に応じた種々の動画を表示するように構成されている。
【００８３】
第１実施形態によれば、可動装飾物５１が、第１位置において、第２領域Ｒ２と裏面側視認領域（裏面側領域のうち透明領域ＲＴを介して視認可能な領域、より具体的には第２部分５１ｂによって形成される領域）とにまたがって配置されていても、第２領域Ｒ２と透明領域ＲＴとを介して当該可動装飾物５１のほぼ全体を視認させることが出来る。このため、当該可動装飾物５１が、第２領域Ｒ２にのみ配置された場合に比べ、当該可動装飾物５１の大きさ、配置場所についての設計自由度が高められる。
【００８４】
また、第１実施形態によれば、可動装飾物５１が第１位置と第２位置との間を移動することにより、装飾部材４０と固定装飾物５２とにより構成される意匠部の視認可能な範囲が変化し、複数の有意な意匠が視認される。これらの意匠では、その構成要素の一部が共通するので、これを見た遊技者に意匠間の関連性を印象付けることが出来、印象深い意匠的効果を発揮できる。
【００８５】
第１実施形態において、固定装飾物５２の表面は、「丁乙丙」の有意な意匠の一部を構成するように形成されているが、これに代えて、「乙丙」と一見して関係のない、例えば「乙丙」が破壊されたような印象を与える意匠が形成されてもよい。
【００８６】
このように構成することで、可動装飾物５１が第１位置にある場合には全体として統一のある意匠が視認可能となる一方、可動装飾物５１が第２位置にある場合には、当該意匠と印象が異なる意匠が視認可能となる。この結果、遊技者に驚きを与えることが出来、印象深い意匠的効果を発揮できる。
【００８７】
なお、本実施形態においては、可動装飾物５１、固定装飾物５２及び装飾部材４０により第１の意匠「乙丙」、第２の意匠「丁乙丙」及び第３の意匠「甲乙丙」が形成されたが、これに代えて又は加えて、可動装飾物５１が第２位置にあるときに可動装飾物５１と第１の意匠の少なくとも一部により有意な第４の意匠（例えば「甲丙」又は「乙丙甲」のような意匠）が形成されるように、可動装飾物５１及び第１の意匠を構成してもよい。
【００８８】
また、第１位置で視認不能且つ第２位置で視認可能な可動装飾物５１の部分に装飾（例えば「丁」の文字を表す装飾）を施すことにより、当該装飾を含んだ第４の意匠（例えば「甲丁丙」の文字を表す意匠）を構成してもよい。
【００８９】
第４の意匠は、第２の意匠を利用しても第２の意匠を利用しなくともよいが、可動装飾物５１が第１位置にある場合に意匠の構成要素である第１の意匠（上記例における「乙丙」）が視認でき、第２位置に移動した場合にも第１の意匠が視認できかつ第１の意匠の少なくとも一部（上記例における第２の意匠の場合「乙丙」、第４の意匠の場合「乙丙」又は「丙」）を用いてもうひとつの意匠を構成する、という点で両者（第２の意匠と第４の意匠）は共通している。
【００９０】
（第２実施形態）
次に、図７を参照して、第２実施形態として、遊技球が進入しない領域にある装飾物の部分を前方に配置し、その裏面側に他の装飾物を配置した実施形態を説明する。
【００９１】
第２実施形態の遊技機の遊技盤は、図７（ａ）に示されるように、全体が透明に構成された遊技盤６０において、遊技球が打ち出される第１領域６１ａ（透明領域）と、第１領域６１ａの中央に位置する第２領域６１ｂと、第１領域６１ａの裏面側に位置する裏面側領域（不図示）と、遊技球の第２領域６１ｂへの進入を防止するために第１領域６１ａと第２領域６１ｂとを区画する区画部材６２とを備える。
【００９２】
装飾物６３は、第２領域６１ｂと、裏面側領域のうち当該第１領域６１ａを介して視認可能な裏面側視認領域（不図示）とにまたがって配置されている。
【００９３】
装飾物６３は、第２領域６１ｂに配置された第１部分６３ａと、裏面側視認領域に配置された第２部分６３ｂとを備える。
【００９４】
図７（ｂ）に示されるように、第１部分６３ａは、第２部分６３ｂよりも前方に配置されている。第１部分６３ａの裏面側には、板状の下側可動物６５が配置されている。また、第２部分６３ｂの裏面側には、回転軸６６を中心に回転運動をする上側可動物６７が配置されている。下側可動物６５は、上側可動物６７の動きに連動して動くように構成されている。下側可動物６５が本発明の「第２の可動役物」に相当し、上側可動物６７が本発明の「第３の可動役物」に相当する。
【００９５】
図７（ａ）に示されるように、下側及び上側可動物６５，６７がそれぞれ第１部分６３ａ及び第２部分６３ｂの裏面側に配置されているため、初期状態では、遊技者は下側及び上側可動物６５，６７を見ることが出来ない。一方、演出等に伴って、下側及び上側可動物６５，６７が駆動された場合には、図７（ｃ）に示されるように、下側可動物６５が例えば第２部分６３ｂの左方に出現する。
【００９６】
第２実施形態によれば、第２領域６１ｂに配置された第１部分６３ａを前方に配置することにより、その裏面側に他の装飾物（下側可動物６５）を配置することが出来、配置自由度を高めることが出来る。また、第２部分６３ｂの裏面側にある回転軸６６を中心として回転運動をする上側可動物６７と、下側可動物６５とが連動することにより、遊技者に興趣を与えることが出来る。
【００９７】
なお、装飾物６３は、裏面側視認領域と第２領域６１ｂとにまたがった移動範囲において移動可能に構成された可動役物として構成されてもよい。
【００９８】
（他の実施形態）
上記の実施形態は、本発明の一例であり、これ以外にも本発明を実施することができれば、本発明の趣旨を逸脱しない限り、様々な変形例が考えられる。
【００９９】
上記の実施形態においては、可動物が第１位置及び第２位置との２つの位置の間を移動するように構成されたが、これに限られず、３つ以上の位置を移動するように構成されてもよい。また、可動物は、上下方向の単純な移動にとどまらず、例えば振動をするなど、複雑な移動をするように構成されてもよい。
【０１００】
本発明では第１位置が上方の位置で第２位置が下方の位置であったが、これに限られず、例えば、第１位置を左方の位置とし、第２位置を中央の位置としてもよい。また、それぞれ上下左右が逆でもよい。
【０１０１】
本発明では、装飾物は、第１位置において遊技盤の上方で裏面側視認領域と第２領域とのまたがるように配置されたが、これに限られず、例えば、遊技盤の下方、左方、右方において裏面側視認領域と第２領域とにまたがるように構成されてもよい。
【０１０２】
第１実施形態の透明領域ＲＴに遊技球検出手段（例えば、遊技球検出センサを有する入賞口等）を設けてもよい。
【０１０３】
この場合、可動装飾物５１が第１位置にある場合に当該遊技球検出手段では遊技球を検出しても特段の処理をせず、可動装飾物５１が第２位置にある場合に当該遊技球検出手段で遊技球を検出した場合に演出等の特定の処理をするように遊技機を構成してもよい。この構成により、可動装飾物５１の移動と演出との連動をさせることが出来るので、遊技者の興趣が高めらる。
【０１０４】
また、第１実施形態では区画部材３１の表面のほとんどが塗色され不透明であったが、これに限られず、例えば可動装飾物５１をまたぐ区画部材３１の部分を透明性のある部材で構成してもよい。このような構成により、後方にある可動装飾物５１等の視認可能範囲が広げられ、設計自由度が高められる。
【０１０５】
また、上記した実施形態では、装飾物として、主に「甲乙丙」等のロゴを表示する装飾物又は人の顔を模した装飾物が採用されたが、これに限られず、パチンコ遊技機を識別するためのロゴを表示する装飾物又はキャラクタの顔等の他の図柄を表示する装飾物が採用されてもよい。
【０１０６】
以上、パチンコ遊技機を例に実施形態を説明したが、本発明は、これに限られず、アレンジボール機や雀球式遊技機にも適用が可能である。
【符号の説明】
【０１０７】
１  パチンコ遊技機
２  外枠
３  前面枠
４  遊技盤
５  前扉
６  ガラス板
７  スピーカ
８  枠装飾ＬＥＤ
９  前面板
１０  発射ハンドル（発射装置）
１１  上貯留皿
１２  下貯留皿
１３  左演出ボタン
１４  中央演出ボタン
１５  液晶表示装置
２０  化粧板
２１  発射球通路
２２  始動入賞装置
２２ａ  第１特別図柄始動口
２２ｂ  第２特別図柄始動口
２３  大入賞口
２４ａ  アウト球回収口
２４ｂ  球寄せ部
２５  開口部
２６  外側区画部材
２７  案内体
２７ａ  外側ガイドレール
２７ｂ  内側ガイドレール
２８ａ  特別図柄表示装置
２８ｂ  普通図柄表示装置
２９ａ〜２９ｃ  一般入賞口
３０  内側パネル
３１  区画部材
３２  ステージ部材
３３  振分部
３３ａ  〜３３ｃ  振分部材
３３ｄ  透明部分
３４  普通図柄用始動ゲート
３５  球ワープ通路
３６  通路
４０  装飾部材
４１  装飾体
４２  取付部
５０  可動装飾物支持機構
５１  可動装飾物
５１ａ  第１部分
５１ｂ  第２部分
５２  固定装飾物
５３ａ  左側固定部材
５３ｂ  右側固定部材
５４  駆動機構
５５ａ、５５ｂ  モータ
５６ａ〜５６ｃ  ギア（ピニオン）
５７ａ  移動部材（ラック）
５７ｂ  受止部
５８  支持部材
５９ａ、５９ｂ  落下補助部材
６３  装飾物
６３ａ  第１部分
６３ｂ  第２部分
６５  下側可動物
６６  軸
６７  上側可動物
Ｒ１、６１ａ  第１領域
Ｒ２、６２ｂ  第２領域
Ｒ３  第３領域
Ｒ４  第４領域
ＲＴ  透明領域
【図１】
2015029737.tif 000003
【図２】
2015029737.tif 000004
【図３】
2015029737.tif 000005
【図４】
2015029737.tif 000006
【図５】
2015029737.tif 000007
【図６】
2015029737.tif 000008
【図７】
2015029737.tif 000009